(57)【特許請求の範囲】
【請求項１】
移動体通信システム（３００）における中継送受信機（１００）のための装置（１０）であり、
この移動体通信システムが、更に、基地局送受信機（２００）とパケットデータネットワーク・インタフェース（３２４）を有し、
少なくとも一つの移動体送受信機（１５０）及び前記基地局送受信機（２００）と通信するように構成された、少なくとも一つの送受信機モジュール（１２）と、
前記少なくとも一つの移動体送受信機（１５０）により受信されたデータパケットに基づき、そのデータパケットに関連しているサービスの品質基準に関する情報を決定して、その品質基準に関する情報に基づき、前記基地局送受信機（２００）を介して前記パケットデータネットワーク・インタフェース（３２４）とのデータ接続（１１０）を構築するように構成された、制御モジュール（１４）と、
を備え、
前記制御モジュール（１４）が、暗号化された形でデータ接続（１１０）を介して通信するように構成されている装置。
【請求項２】
請求項１に記載の装置（１０）において、
前記制御モジュール（１４）が、前記基地局送受信機（２００）を介した前記パケットデータネットワーク・インタフェース（３２４）との異なる品質基準によるデータ接続（１１０）を前記少なくとも一つの送受信機モジュール（１２）を介して構築するように構成され、
前記制御モジュール（１４）が、更に、前記データパケットに関連しているサービスの品質基準に関する情報に基づき、それに対応する品質基準による前記基地局送受信機（２００）との接続を構築し、同じ接続を介して、同じ品質基準を有するデータサービスに対応付けられたデータパケットを前記基地局送受信機（２００）に伝送するように構成されている、
装置。
【請求項３】
請求項１又は２に記載の装置（１０）において、
前記制御モジュール（１４）が、複数の受信されたデータパケットに基づき、それらのデータパケットに関連しているサービスに対する複数の品質基準に関する情報を決定して、それらの複数の品質基準に関する情報に基づき、前記基地局送受信機（２００）を介して前記パケットデータネットワーク・インタフェース（３２４）との複数のデータ接続（１１０）を構築するように構成されている、
装置。
【請求項４】
請求項１から３までのいずれか一つに記載の装置（１０）において、
前記中継送受信機（１００）が移動体中継送受信機である装置。
【請求項５】
請求項１に記載の装置（１０）において、
前記移動体通信システム（３００）が、更に、調整モジュール（３１０）、リンク接続（３２０）及びネットワークコンポーネント（３５０）を有し、
前記中継送受信機（１００）が、前記リンク接続（３２０）を介して、前記移動体送受信機（１５０）のデータサービスを受信する前記ネットワークコンポーネント（３５０）と接続され、
前記調整モジュール（３１０）が、前記品質基準に関する情報に基づき、前記少なくとも一つのデータ接続（１１０）を構築するように構成され、
前記制御モジュール（１４）が、更に、インターネットプロトコル・マルチメディアサブシステム・インタフェース（１４０４）を介して、前記品質基準に関する情報を前記調整モジュール（３１０）に伝えるように構成されている、
装置。
【請求項６】
請求項１から５までのいずれか一つに記載の装置（１０）において、
前記制御モジュール（１４）が、データパケットのヘッダデータから品質基準を抽出することによって、前記データパケットに関連しているサービスの品質基準に関する情報を算出するように構成されていることと、
前記制御モジュール（１４）が、データパケットの内容のパターン分析によって、前記データパケットに関連しているサービスの品質基準に関する情報を算出するように構成されていることと、
の中の一つ以上である装置。
【請求項７】
移動体通信システム（３００）における少なくとも一つの移動体送受信機（１５０）にデータサービスを提供するネットワークコンポーネント（３５０）のための装置（２０）であり、
この移動体通信システム（３００）が、更に、中継送受信機（１００）を有し、
前記一つの中継送受信機（１００）を介して、前記少なくとも一つの移動体送受信機（１５０）と通信するともに、前記少なくとも一つの移動体送受信機（１５０）の少なくとも一つの通信相手（３３０）と通信するように構成された、少なくとも一つのインタフェースモジュール（２２）と、
前記少なくとも一つの移動体送受信機（１５０）の少なくとも一つの通信相手（３３０）により受信されたデータパケットに基づき、そのデータパケットに関連しているサービスの品質基準に関する情報を決定して、その品質基準に関する情報に基づき、前記移動体通信システム（３００）のパケットデータネットワーク・インタフェース（３２４）を介して前記中継送受信機（１００）との少なくとも一つのデータ接続（１１０）を構築するように構成された、制御モジュール（２４）と、
を備え、
前記制御モジュール（２４）が、暗号化された形でリンク接続（３２０）を介して通信するように構成されている装置。
【請求項８】
請求項７に記載の装置（２０）において、
前記制御モジュール（２４）が、前記中継送受信機（１００）を介した前記移動体送受信機（１５０）との異なる品質基準による接続を前記少なくとも一つのインタフェースモジュール（２２）を介して構築するように構成され、
前記制御モジュール（２４）が、更に、前記データパケットに関連しているサービスの品質基準に関する情報に基づき、それに対応する品質基準による前記中継送受信機（１００）とのデータ接続（１１０）を構築し、同じデータ接続（１１０）を介して、同じ品質基準を有するデータサービスに対応付けられたデータパケットを前記中継送受信機（１００）に伝送するように構成されている、
装置。
【請求項９】
請求項７又は８に記載の装置（２０）において、
前記制御モジュール（２４）が、複数の受信されたデータパケットに基づき、それらのデータパケットに関連している複数のサービスに関する複数の品質基準に関する情報を決定して、それらの複数の品質基準に関する情報に基づき、前記中継送受信機（１００）との複数のデータ接続（１１０）を構築するように構成されている、
装置。
【請求項１０】
請求項７から９までのいずれか一つに記載の装置（２０）において、
前記移動体通信システム（３００）が、更に、調整モジュール（３１０）を有し、
前記調整モジュール（３１０）が、前記品質基準に関する情報に基づき、前記少なくとも一つのデータ接続（１１０）を構築するように構成され、
前記制御モジュール（２４）が、更に、インターネットプロトコル・マルチメディアサブシステム・インタフェース（３５４）を介して、前記品質基準に関する情報を前記調整モジュール（３１０）に伝えるように構成されている、
装置。
【請求項１１】
請求項７から１０までのいずれか一つに記載の装置（２０）において、
前記制御モジュール（２４）が、データパケットのヘッダデータから品質基準を抽出することによって、前記データパケットに関連しているサービスの品質基準に関する情報を算出するように構成されていることと、
前記制御モジュール（２４）が、データパケットの内容のパターン分析によって、前記データパケットに関連しているサービスの品質基準に関する情報を算出するように構成されていることと、
の中の一つ以上である装置。
【請求項１２】
請求項１に記載の装置を備えた車両（５００）において、
中継送受信機（１００）が、移動体中継送受信機であり、更に、車両の乗客の移動体送受信機と通信するように構成されている車両。
【請求項１３】
移動体通信システム（３００）における中継送受信機（１００）のための方法であり、  この移動体通信システムが、更に、基地局送受信機（２００）を有し、
少なくとも一つの移動体送受信機（１５０）と通信する工程（３２）、
前記基地局送受信機（２００）と通信する工程（３４）、
前記少なくとも一つの移動体送受信機（１５０）により受信されたデータパケットに関連しているサービスの品質基準に関する情報を決定する工程（３６）、
その品質基準に関する情報に基づき、前記の基地局送受信機（２００）を介して前記パケットデータネットワーク・インタフェース（３２４）とのデータ接続（１１０）を構築する工程（３８）、及び
暗号化された形でデータ接続（１１０）を介して通信する工程と、
を有する方法。
【請求項１４】
移動体通信システム（３００）における少なくとも一つの移動体送受信機（１５０）にデータサービスを提供するネットワークコンポーネント（３５０）のための方法であり、  この移動体通信システムが、更に、中継送受信機（１００）を有し、
前記一つの中継送受信機（１００）を介して、前記少なくとも一つの移動体送受信機（１５０）と通信する工程（４２）、
前記少なくとも一つの移動体送受信機（１５０）の少なくとも一つの通信相手（３３０）と通信する工程（４４）、
前記少なくとも一つの移動体送受信機（１５０）の少なくとも一つの通信相手（３３０）により受信されたデータパケットに関連しているサービスの品質基準に関する情報を決定する工程（４６）、
その品質基準に関する情報に基づき、前記移動体通信システム（３００）のパケットデータネットワーク・インタフェース（３２４）を介して前記中継送受信機（１００）とのデータ接続（１１０）を構築する工程（４８）、及び
暗号化された形でリンク接続（３２０）を介して通信する工程、
を有する方法。
【請求項１５】
プログラムコードを有するプログラムであり、
このプログラムコードがコンピュータ、プロセッサ、コントローラ（１６）又はプログラミング可能なハードウェアコンポーネント上で実行された場合に、請求項１３又は１４に記載の方法を実施するためのプログラム。
【発明の詳細な説明】
【技術分野】
【０００１】
本実施例は、請求項１に記載の中継送受信機のための装置、請求項８に記載のネットワークコンポーネントのための装置、請求項１４に記載の車両、請求項１５に記載の中継送受信機のための方法、請求項１６に記載のネットワークコンポーネントのための方法及び請求項１７に記載のプログラムコードを有するプログラムに関する。
【背景技術】
【０００２】
移動体通信システムは、常に新たな挑戦を試みており、最新のスマートフォン（インテリジェント携帯端末機器）は、例えば、オンラインナビゲーション、音楽ストリーミング又はビデオストリーミング、オンライン通信及び移動体インターネットなどの多数の新しいサービスの利用を可能にしている。これらのサービスは、しばしばスマートフォンの大部分の機能を構成するので、ネットワーク提供業者は、出来る限り広い範囲の移動体通信システムを実現することを追求している。
【０００３】
ケーブルを介してネットワーク提供業者のネットワークと繋がる、ケーブル接続された基地局送受信機の外に、それ自体が移動体通信システムとのワイヤレス接続を構築した後、その接続を移動体送受信機に提供する中継送受信機も存在する。その場合、中継送受信機は、大抵より大きなアンテナ、より良好な供給電力及び（例えば、山の上の、或いは車両の外のアンテナを用いた）より有利な設置場所によって、移動体端末機器自体よりも良好な、移動体通信システムとの接続を構築して、移動体通信システムとの移動体送受信機の接続を改善している。
【０００４】
仕事への途上又は旅行中の車両内においては正に、移動体広帯域サービスがよく利用される。つまり、多くのユーザーが旅行中でもインターネットベースの娯楽サービスを諦めたくないので、ここ数年の間に車両内での広帯域インターネットの需要が大きく増大している。しかし、車両内で受信される移動体無線信号は、その信号が車両を覆う物体により受ける減衰によって大幅に弱められる。それによって、受信品質が劣化して、車両内には多数の妨害されたコールが存在することとなる。製造業者が、電磁放射の理由から、車両をファラデーケージと同様に変える金属フィルム付窓に置き換えた場合、この問題は、今後一層深刻化する可能性が有る。その場合でも、車両の乗客に改善された受信品質を提供するために、移動体中継送受信機が今後必要とされる可能性が有る。
【０００５】
その場合、中継送受信機自体は、基地局送受信機を介して移動体通信システムと接続される。そのために、中継送受信機は、移動体無線提供業者のネットワークに対してプロトコルトンネル（例えば、英語で「ＩＰＳｅｃ−Ｔｕｎｎｅｌ」とも呼ばれる暗号化されたインターネットプロトコル・セキュリティ・トンネル）を構築した後、そのトンネルを介して、データパケット及び電話データを各通信相手に転送する。例えば、場合によっては、安全でない接続を介して、トンネルが協力相手により管理される可能性も有るので、そのようなトンネルの採用によって、全ての問い合わせが纏められた形で移動体無線提供業者のネットワークに着信し、これが、移動体通信システム内でのセキュリティを向上させることとなる。
【０００６】
中継送受信機に関する更なる情報は、例えば、特許文献１〜２及び非特許文献１〜４に見い出すことができる。
【先行技術文献】
【特許文献】
【０００７】
【特許文献１】米国特許公開第２０１２００６３４１５号明細書、“ＩＭＳ  ｆｅｍｔｏｃｅｌｌ  ｆｏｒ  ｖｏｉｃｅ，  ｄａｔａ  ａｎｄ  ｖｉｄｅｏ”，  Ｊｕｎｇ  Ｙｅｅ，  Ｗｉ−Ｌａｎ，  Ｉｎｃ．，  ２０１２
【特許文献２】米国特許公開第２０１１０３０５１９６号明細書、“Ｃｏｍｍｕｎｉｃａｔｉｏｎ  ｓｙｓｔｅｍ，  ｆｅｍｔｏ−ｃｅｌｌ  ｂａｓｅ  ｓｔａｔｉｏｎ，  ａｕｔｈｅｎｔｉｃａｔｉｏｎ  ｄｅｖｉｃｅ，  ｃｏｍｍｕｎｉｃａｔｉｏｎ  ｍｅｔｈｏｄ，  ａｎｄ  ｍｅｍｏｒｙ  ｍｅｄｉｕｍ”，  Ｏｓａｍｕ  Ｋｕｒｏｋａｗａ，  Ｋａｚｕｋｉ  Ｅｇｕｃｈｉ，  Ｙａｓｕｏ  Ｋａｎａｚａｗａ，  Ｙａｓｕｈｉｒｏ  Ｗａｔａｎａｂｅ，  Ｈｉｒｏａｋｉ  Ａｋｉｙａｍａ，  Ｔａｋａｙｕｋｉ  Ｋｉｄｏ，  Ａｋａｔｓｕｋｉ  Ｍｉｎａｍｉ，  ２０１１
【非特許文献】
【０００８】
【非特許文献１】Ｂ．  Ｚａｆａｒ，  Ｓ．  Ｇｈｅｒｅｋｈｌｏｏ，  ａｎｄ  Ｍ．  Ｈａａｒｄｔ，  “Ａｎａｌｙｓｉｓ  ｏｆ  Ｍｕｌｔｉｈｏｐ  Ｒｅｌａｙｉｎｇ  Ｎｅｔｗｏｒｋｓ：  Ｃｏｍｍｕｎｉｃａｔｉｏｎ  Ｂｅｔｗｅｅｎ  Ｒａｎｇｅ−Ｌｉｍｉｔｅｄ  ａｎｄ  Ｃｏｏｐｅｒａｔｉｖｅ  Ｎｏｄｅｓ，”  ＩＥＥＥ  Ｖｅｈｉｃｕｌａｒ  Ｔｅｃｈｎｏｌｏｇｙ  Ｍａｇａｚｉｎｅ，  ｖｏｌ．７，  ｎｏ．３，  ｐｐ．４０−４７，  Ｓｅｐｔ．  ２０１２
【非特許文献２】Ｍ．  Ｉｌｙａｓ，  Ｓ．  Ａ．  Ａｈｓｏｎ  （ｅｄｉｔｏｒｓ），  “ＩＰ  Ｍｕｌｔｉｍｅｄｉａ  Ｓｕｂｓｙｓｔｅｍ  （ＩＭＳ）  Ｈａｎｄｂｏｏｋ”，  ＣＲＣ  Ｐｒｅｓｓ，  ２００８
【非特許文献３】３ＧＰＰ  ＴＳ  ３６．４１３，  “Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｓ１  Ａｐｐｌｉｃａｔｉｏｎ  Ｐｒｏｔｏｃｏｌ  （Ｓ１ＡＰ）”
【非特許文献４】Ｙ．  Ｙｉｎｇｈｕａ，  Ｎ．  Ｖｏｒａ，  Ｊ．  Ｐ．  Ｓａｉｒａｎｅｎ，  Ｍ．  Ｓａｈａｓｒａｂｕｄｈｅ，  “Ｅｎａｂｌｉｎｇ  ｌｏｃａｌ  ｂｒｅａｋｏｕｔ  ｆｒｏｍ  ｅＮＢ  ｉｎ  ＬＴＥ  ｎｅｔｗｏｒｋｓ”，  ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ  （ＩＣＣ），  ｐｐ．  ６９８２−６９８６，  １０−１５  Ｊｕｎｅ  ２０１２
【発明の概要】
【発明が解決しようとする課題】
【０００９】
従って、中継送受信機のための改善された方式を提供する需要が生まれる。
【課題を解決するための手段】
【００１０】
この需要は、請求項１に記載の中継送受信機のための装置、請求項８に記載のネットワークコンポーネントのための装置、請求項１４に記載の車両、請求項１５に記載の中継送受信機のための方法、請求項１６に記載のネットワークコンポーネントのための方法及び請求項１７に記載のプログラムコードを有するプログラムによって考慮される。
【００１１】
実施例は、特に、場合によっては暗号化のために、基地局が中継送受信機から転送されて来るデータパケットの内容を知り得ないので、例えば、インターネット電話やビデオストリーミングなどのデータ接続に対する所定の品質要求を有するデータパケットの優先順位付けを実施することが有効である可能性が有るとの知見に基づくものである。
【００１２】
幾つかの実施例は、例えば、中継送受信機に統合された制御モジュールを使用することによって、それを可能にすることができる。そこで、制御モジュールは、例えば、データパケットを分析し、そのことから必要な接続品質を推定することができる。この場合、制御モジュールは、例えば、データパケットの（英語で「ｈｅａｄｅｒ  ｄａｔａ」とも呼ばれる）ヘッダデータから、既に存在する（英語で「Ｑｕａｌｉｔｙ  ｏｆ  Ｓｅｒｖｉｃｅ：ＱＯＳ」とも呼ばれる）サービス品質の指示子を抽出するか、或いはパターン認識によりデータパケットの内容を分析して、品質基準に関する情報を決定することができる。そこで、実施例では、制御モジュールは、この品質基準に基づき、その品質基準に対応するデータ接続を構築することを移動体通信システムに指示することができる。そして、データパケットは、それに付随する品質基準に応じた各データ接続を介して伝送することができる。それによって、中継送受信機と移動体通信システムのネットワーク間における安全なデータ伝送も、その品質基準に応じたデータ伝送も可能となる。
【００１３】
別の実施例では、一つの品質基準に対応する接続を構築する要求は、移動体無線提供業者のネットワークの側からも来る可能性が有る。例えば、移動体通信システムの提供業者のネットワーク間の移行域のネットワークコンポーネントが、前の実施例と同様に、データパケットを分析して、各品質基準に応じた中継送受信機とのデータ接続を構築することができる。
【００１４】
従って、実施例は、移動体通信システムの中継送受信機のための装置を提供する。この移動体通信システムは、更に、基地局送受信機とパケットデータネットワーク・インタフェースを有する。この場合、この装置は、少なくとも一つの移動体送受信機及び基地局送受信機と通信するように構成された少なくとも一つの送受信機モジュールを有する。この中継送受信機は、更に、前記の少なくとも一つの移動体送受信機により受信されたデータパケットに基づき、そのデータパケットに関連しているサービスの品質基準に関する情報を決定して、その品質基準に関する情報に基づき、基地局送受信機を介してパケットデータネットワーク・インタフェースとの少なくとも一つのデータ接続を構築するように構成された制御モジュールを備える。それによって、特に、中継送受信機と基地局送受信機の間のワイヤレス接続を介して、中継送受信機から移動体通信システムの提供業者のネットワークにデータパケットを伝送する時に、品質基準を考慮することが可能となる。
【００１５】
多くの実施例において、この制御モジュールは、前記の少なくとも一つの送受信機モジュールを介して、基地局送受信機との異なる品質基準によるデータ接続を構築するように構成される。例えば、この制御モジュールは、更に、データパケットに関連しているサービスの品質基準に関する情報に基づき、それに対応する品質基準により基地局送受信機を介してパケットデータネットワーク・インタフェースとのデータ接続を構築し、同じ接続を介して、同じ品質基準を有するデータサービスに対応付けられたデータパケットを基地局送受信機に伝送するように構成することができる。それによって、並列に動作する接続数を低減すると同時に、その品質基準に応じてデータパケットを伝送する手段が得られる。そのため、多くの実施例において、異なる接続の数を異なる品質基準の数と一致させることができ、同じ品質基準を有するサービスのデータパケットを一つの接続内に、例えば、共通のプロトコル・トンネル内に纏めることができる。
【００１６】
実施例では、この制御モジュールは、更に、複数の受信されたデータパケットに基づき、それらのデータパケットに関連している複数のデータサービスに対する複数の品質基準に関する情報を決定して、これらの複数の品質基準に関する情報に基づき、基地局送受信機との複数のデータ接続を構築するように構成することができる。そのようにして、実施例では、品質基準に関する情報に基づく複数のデータサービスを利用するために、品質基準に関する情報に基づき複数のデータ接続を同時に構築することができる。
【００１７】
多くの実施例では、この中継送受信機は、例えば、車両の乗客に移動体通信システムとの接続を提供するための移動体中継送受信機とすることができる。
【００１８】
別の実施例では、この移動体通信システムは、更に、調整モジュール、リンク接続及びネットワークコンポーネントを有することができる。この場合、中継送受信機は、このリンク接続を介して、移動体送受信機のデータパケットを受信するネットワークコンポーネントと接続することができる。実施例では、この調整モジュールは、品質基準に関する情報に基づき少なくとも一つのデータ接続を構築するように構成することができ、この制御モジュールは、更に、インターネットプロトコル・マルチメディアサブシステム・インタフェースを介して、品質基準に関する情報を調整モジュールに伝えるように構成することができる。それによって、実施例では、無線技術において既に存在する、品質基準を考慮したメカニズムを利用することができる。その限りにおいて、実施例は、上述した装置を備えた中継送受信機と、上述した装置を備えた中継送受信機を有する移動体通信システムも提供する。
【００１９】
多くの実施例では、この制御モジュールは、データパケットのヘッダデータから品質基準を抽出することによって、そのデータパケットに関連しているサービスの品質基準に関する情報を算出するように構成することができる。この制御モジュールは、更に、データパケットの内容をパターン分析することによって、そのデータパケットに関連しているサービスの品質基準に関する情報を算出するように構成することもできる。実施例では、この制御モジュールは、品質基準に関する情報を検知するための異なるメカニズムを利用することによって、明確に定義された形でも暗示的に検知される形でも品質基準に関する情報を算出することができる。
【００２０】
実施例では、この制御モジュールは、暗号化された形でデータ接続を介して通信するように構成することができ、そのことは、リンク接続の盗聴に対するセキュリティを向上させる。実施例は、その場合には、上述した装置を備えた中継送受信機と、上述した装置を備えた中継送受信機を有する移動体通信システムも提供する。
【００２１】
実施例は、更に、移動体通信システムにおいて少なくとも一つの移動体送受信機にデータサービスを提供するネットワークコンポーネントのための装置を提供する。この移動体通信システムは、更に、一つの中継送受信機を有する。この場合、この装置は、この一つの中継送受信機を介して、この少なくとも一つの移動体送受信機と通信するとともに、この少なくとも一つの移動体送受信機の少なくとも一つの通信相手と通信するように構成された少なくとも一つのインタフェースモジュールを備える。それは、更に、この少なくとも一つの移動体送受信機の少なくとも一つの通信相手により受信されたデータパケットに基づき、そのデータパケットに関連しているサービスの品質基準に関する情報を決定して、この品質基準に関する情報に基づき、移動体通信システムのパケットデータネットワーク・インタフェースを介して中継送受信機との少なくとも一つのデータ接続を構築するように構成された制御モジュールを備える。そのようにして、例えば、移動体通信システムの提供業者のネットワークとのインタフェースも、品質基準に関する情報を算出する役割を引き受けて、品質基準に関する情報に基づきデータ接続を構築し、その情報をリンク接続のために利用することができる。
【００２２】
多くの実施例では、この制御モジュールは、中継送受信機を介した移動体送受信機との異なる品質基準による接続を前記の少なくとも一つのインタフェースモジュールを介して構築するように構成することができる。それは、更に、データパケットに関連しているサービスの品質基準に関する情報に基づき、中継送受信機とのそれに対応する品質基準による少なくとも一つのデータ接続を構築し、同じデータ接続を介して、同じ品質基準を有するデータサービスに対応付けられたデータパケットを中継送受信機に伝送するように、この制御モジュールを更に構成する手段を提供する。そのことは、更に、それによって、並列に動作する接続の数を低減すると同時に、その品質基準に対応してデータパケットを伝送する手段を提供する。
【００２３】
別の実施例では、この制御モジュールは、更に、複数の受信されたデータパケットに基づき、それらのデータパケットに関連している複数のサービスに対する複数の品質基準に関する情報を決定して、この複数の品質基準に関する情報に基づき、中継送受信機との複数のデータ接続を構築するように構成することができる。そのようにして、実施例では、品質基準に関する情報に基づく複数のデータサービスを利用するために、品質基準に関する情報に基づき複数の接続を同時に構築することができる。
【００２４】
実施例では、この移動体通信システムは、更に、調整モジュールを有することができる。この調整モジュールは、例えば、品質基準に関する情報に基づき、少なくとも一つのデータ接続を構築するように構成することができる。この制御モジュールは、更に、インターネットプロトコル・マルチメディアサブシステム・インタフェースを介して、この調整モジュールに品質基準に関する情報を伝えるように構成することができる。実施例では、それによって、無線技術において既に存在する、品質基準を考慮するためのメカニズムを利用することができる。
【００２５】
それは、データパケットのヘッダデータから品質基準を抽出することによって、そのデータパケットに関連しているサービスの品質基準に関する情報を算出するように、この制御モジュールを構成する手段とデータパケットの内容をパターン分析することによって、そのデータパケットに関連しているサービスの品質基準に関する情報を算出するように、この制御モジュールを構成する手段の一つ以上を提供する。実施例では、この制御モジュールは、品質基準に関する情報を検知するための異なるメカニズムを利用することによって、明確に定義された形でも暗示的に検知される形でも品質基準に関する情報を算出することができる。
【００２６】
実施例では、この制御モジュールは、更に、暗号化された形でリンク接続を介して通信するように構成することができ、それは、リンク接続の盗聴に対するセキュリティを向上させる。実施例は、その限りにおいて、上述した装置を備えたネットワークコンポーネントと、上述した装置を備えたネットワークコンポーネントを有する移動体通信システムと、上述した装置を備えた中継送受信機を有する移動体通信システムと、上述した装置を備えたネットワークコンポーネントとの中の少なくとも一つ以上も提供する。
【００２７】
移動体送受信機のための装置を備えた車両を実施例とすることもでき、その場合、中継送受信機は移動体中継送受信機であり、更に、車両の乗客の移動体送受信機と通信するように構成される。それは、実施例において、より高い受信品質を得るために、アンテナ用のより大きな面積及び車両を通過したより良好な供給電力の利用を可能とする。
【００２８】
実施例は、上記の記載に基づく移動体通信システムにおける中継送受信機のための方法を提供する。この移動体通信システムは、更に、基地局送受信機を有する。この方法は、少なくとも一つの移動体送受信機と通信する工程と、基地局送受信機と通信する工程と、この少なくとも一つの移動体送受信機により受信されたデータパケットに関連しているサービスの品質基準に関する情報を決定する工程と、この品質基準に関する情報に基づき基地局送受信機を介してパケットデータネットワーク・インタフェースとのデータ接続を構築する工程とを有する。
【００２９】
実施例は、更に、移動体通信システムにおいて少なくとも一つの移動体送受信機にデータサービスを提供するネットワークコンポーネントのための方法を提供する。この移動体通信システムは、更に、一つの中継送受信機を有する。この方法は、この一つの中継送受信機を介して少なくとも一つの移動体送受信機と通信する工程と、この少なくとも一つの移動体送受信機の少なくとも一つの通信相手と通信する工程と、この少なくとも一つの移動体送受信機の少なくとも一つの通信相手により受信されたデータパケットに基づき、この少なくとも一つの移動体送受信機の少なくとも一つの通信相手により受信されたデータパケットに関連しているサービスの品質基準に関する情報を決定する工程と、この品質基準に関する情報に基づき、移動体通信システムのパケットデータネットワーク・インタフェースを介して中継送受信機とのデータ接続を構築する工程とを有する。
【００３０】
実施例は、更に、コンピュータ、プロセッサ、コントローラ又はプログラミング可能なハードウェアコンポーネント上でプログラムコードを実行した場合に、上述した方法の中の少なくとも一つを実施するプログラムコードを有するプログラム／コンピュータプログラムを提供する。実施例は、上述した方法の中の一つが実施されるように、プログラミング可能なハードウェアコンポーネントと協力して動作することができる電子的に読取可能な制御信号を有する、機械読取可能な、或いはコンピュータ読取可能なデジタルメモリ媒体も提供する。
【００３１】
以下において、図面に図示された実施例に基づき、更に別の実施形態を詳しく説明するが、一般的には、全体としてそれらの実施例に限定されない。
【図面の簡単な説明】
【００３２】
【図１】基地局送受信機と移動体送受信機を有する移動体通信システムにおける中継送受信機の実施例のブロック図
【図２】移動体通信システムの実施例のブロック図
【図３】調整モジュール、ネットワークコンポーネント及びリンク接続を有する移動体通信システムにおける中継送受信機の実施例のブロック図
【図４】中継送受信機、移動体送受信機、リンク接続及び通信相手を有する移動体通信システムにおけるネットワークコンポーネントの実施例のブロック図
【図５】中継送受信機、ネットワークコンポーネント、並びに移動体通信システムの異なるユニット及びインタフェースを有する移動体通信システムの実施例のブロック図
【図６】中継送受信機、並びに移動体通信システムの異なるユニット及びインタフェースを有する移動体通信システムの実施例のフローのブロック接続図
【図７】リンク接続とデータ接続を有する移動体通信システムの実施例のブロック図
【図８】移動体中継送受信機のための装置を備えた移動体中継送受信機を有する車両の実施例の図
【図９】移動体中継送受信機を有する車両と移動体通信システムの複数の構成要素及びインタフェースの実施例の図
【図１０】中継送受信機のための方法の実施例のフローのブロック接続図
【図１１】ネットワークコンポーネントのための方法の実施例のフローのブロック接続図
【発明を実施するための形態】
【００３３】
ここでは、幾つかの実施例を図示した添付図面を参照して、異なる実施例を詳しく説明する。図面では、線、層及び／又は領域の厚さサイズは、明らかにするとの意図により誇張された形で図示されている場合が有る。
【００３４】
例示のための幾つかの実施例だけを図示した添付図面の以下の記述では、同じ符号は、同じ又は比較可能なコンポーネントを表す。更に、一つの実施例又は一つの図面に複数回出現するが、一つ又は複数の特徴に関して共通して記述されるコンポーネント及び物に対しては、纏めた符号を用いる場合が有る。同じ又は纏めた符号により記述されるコンポーネント又は物は、単一、複数又は全ての特徴、例えば、そのサイズに関して、同じ形で実現されるが、場合によっては、記述から決して別の形態で明示的又は暗示的に得られない限り、異なる形で実現することもできる。
【００３５】
実施例は、様々な手法で修正及び変更することができるが、図面における実施例は、例として図示されており、そこでは詳細に記述されている。しかし、実施例をそれぞれ開示された形状に限定することを意図しておらず、むしろ実施例が本発明の範囲内に有る全ての機能的及び／又は構造的な修正形態、同等形態及び代替形態をカバーすることは明らかである。同じ符号は、全ての図面の記述において、同じ又は同様の構成要素を表す。
【００３６】
別の構成要素と「接続」又は「連結」されると記載された構成要素は、その別の構成要素と直接的に接続又は連結できるか、或いはそれらの間に有る構成要素が存在できることに留意されたい。それに対して、構成要素が、別の構成要素と「直接接続される」又は「直接連結される」と記載されている場合、それらの間に有る構成要素は存在しない。構成要素の間の関係を記述するために用いられる別の用語（例えば、「それらの間に直接」と比べた「それらの間」、「直に隣接する」と比べた「隣接する」等）は、前記と同様に解釈すべきである。
【００３７】
ここで用いる用語は、所定の実施例を記述する役割だけを果たし、実施例を限定するものではない。ここで用いられている通りの「一つ」及び「この」との単一表現は、文脈が決して明らかに別のことを意味しない限り、複数表現も含む。更に、例えば、ここで用いられている通りの「含まれる」、「含む」、「有する」、「備える」、「備えた」及び／又は「有した」などの表現は、当該の特徴、整数、工程、動作フロー、構成要素及び／又はコンポーネントの存在を意味するが、一つ又は複数の特徴、整数、工程、動作フロー、構成要素、コンポーネント及び／又はそれらのグループの存在又は追加を排除しないことは明らかである。
【００３８】
ここで用いる（技術的及び学術的な用語を含む）全ての用語は、別のことを定義していない限り、実施例が属する分野の当業者が認めるのと同じ意味を有する。更に、表現、例えば、一般的に用いられる辞書で定義された表現は、その意味が当該の技術の文脈において一貫している意味を有するものとして解釈すべきであり、そこで別途明確に定義されていない限り、理想化された、或いは過度の形式的な意味として解釈すべきないことは明らかである。
【００３９】
従来技術の分野から、（英語で「Ｓｍａｌｌ  Ｃｅｌｌｓ」とも呼ばれる）スモールセルにインターネットプロトコル・マルチメディアサブシステム（ＩＭＳ）を統合することが知られている。しかし、その場合、異なる無線インタフェースを統合すること、移動体送受信機を接続すること、或いはスモールセルとの移動体送受信機の接続において品質基準を利用することに焦点が置かれている。従って、それは、スモールセルがケーブル接続式広帯域インターネットを介して接続され、移動体送受信機とスモールセルの間の接続が伝送容量に関するボトルネックを示すと仮定することを出発点としている。
【００４０】
中継送受信機での状況は、それと異なり、少数の移動体送受信機だけがスモールセルを利用し、この場合、ボトルネックは、無線を介したリンク接続、基地局送受信機を介した中継送受信機とネットワーク間の接続である。
【００４１】
ユニバーサル移動体通信システム（ＵＭＴＳ）又はロング・ターム・エボルーション（ＬＴＥ）などの無線技術は、（英語で「ＱｏＳ  Ｐｒｏｖｉｓｉｏｎｉｎｇ」とも呼ばれる）品質基準に基づく無線リソースの提供とデータサービスの様々な処理をサポートしている。この場合、パラメータのネゴシエーションは、論理的に接続された（英語で「Ｍｏｂｉｌｉｔｙ  Ｍａｎａｇｅｍｅｎｔ  Ｅｎｔｉｔｙ：ＭＭＥ」と呼ばれる）移動体管理ユニットとの間で行なわれる。中継送受信機の場合、移動体通信システム用中継送受信機が、インターネットとのインターネットプロトコルによるデータ接続を有する標準的なユーザーである。中継送受信機がネットワークとのＩＰＳｅｃ（英語で「Ｉｎｔｅｒｎｅｔ  Ｐｒｏｔｏｃｏｌ  Ｓｅｃｕｒｉｔｙ」とも呼ばれるインターネット・プロトコル・セキュリティ）−トンネルを構築すると仮定すると、全てのデータが暗号化された形でリンク接続を介して伝送され、その結果、（英語で「Ｐａｃｋｅｔ  Ｄａｔａ  Ｎｅｔｗｏｒｋ  ＧａｔｅＷａｙ：ＰＤＮ−ＧＷ」と呼ばれる）パケットデータネットワーク・インタフェースは、（英語で「Ｔｒａｆｆｉｃ  Ｆｌｏｗ  Ｔｅｍｐｌａｔｅ：ＴＦＴ」と呼ばれる）データ・トラフィックフロー・テンプレートを用いてデータパケットを分析することができず、異なるデータサービスを区別して、必要な場合に、優先順位を付与することができない。そのようにして、結局は、従来技術の分野では、多くのシナリオにおいて、品質基準に基づくデータサービスのエンド・ツー・エンドの優先順位付けを保証することができない。
【００４２】
図１は、移動体通信システム３００における中継送受信機１００のための装置１０の実施例を図示している。
【００４３】
従って、実施例は、移動体無線システム３００を介して、例えば、インターネット、ワールド・ワイド・ウェブ（ＷＷＷ）又はそれ以外のネットワークを介して到達可能なサーバー、コンピュータ又はそれ以外の通信相手とデータを通信するように構成された送受信機／移動体無線機器を使用することができる。例えば、この移動体無線システム／移動体通信システム３００は、例えば、第三世代パートナーシップ・プロジェクト（３ＧＰＰ）グループなどの相応の標準化委員会により標準化された移動体無線システムに対応するものでもよい。例えば、それらは、移動体通信用グローバルシステム（ＧＳＭ）、ＧＳＭエボルーション用拡張データ速度（ＥＤＧＥ）、ＧＳＭ  ＥＤＧＥ無線アクセスネットワーク（ＧＥＲＡＮ）、例えば、ユニバーサル移動体通信システム（ＵＭＴＳ）などのユニバーサル地上波無線アクセスネットワーク（ＵＴＲＡＮ）、ロング・ターム・エボルーション（ＬＴＥ）又はアドバンストＬＴＥ（ＬＴＥ−Ａ）、或いは、例えば、マイクロ波アクセス用ワールドワイド・インターオペラビリティ（ＷｉＭＡＸ）／ＩＥＥＥ８０２．１６又はワイヤレス・ローカル・エリア・ネットワーク（ＷＬＡＮ）／ＩＥＥＥ８０２．１１などのそれ以外の標準の移動体無線システム、並びに一般的には、時分割多重アクセス（Ｔｉｍｅ  Ｄｉｖｉｓｉｏｎ  Ｍｕｌｔｉｐｌｅ  Ａｃｃｅｓｓ：ＴＤＭＡ）、周波数分割多重アクセス（Ｆｒｅｑｕｅｎｃｙ  Ｄｉｖｉｓｉｏｎ  Ｍｕｌｔｉｐｌｅ  Ａｃｃｅｓｓ：ＦＤＭＡ）、符号分割多重アクセス（Ｃｏｄｅ  Ｄｉｖｉｓｉｏｎ  Ｍｕｌｔｉｐｌｅ  Ａｃｃｅｓｓ：ＣＤＭＡ）、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）又はそれ以外の方式又は多重化方法に基づくシステムも含む。以下において、「移動体無線システム」、「移動体無線ネットワーク」、「移動体通信システム」及び「移動体無線ネットワーク」との用語は同義語として用いる。
【００４４】
この移動体通信システム３００は、更に、基地局送受信機２００とパケットデータネットワーク・インタフェース３２４を有する。この装置１０は、少なくとも一つの移動体送受信機１５０及び基地局送受信機２００と通信するように構成された少なくとも一つの送受信機モジュール１２を有する。実施例では、この送受信機モジュール１２は、典型的な送信機又は受信機コンポーネントを備えている。それらは、例えば、一つ又は複数のアンテナ、一つ又は複数のフィルター、一つ又は複数の混合器、一つ又は複数の増幅器、一つ又は複数のダイプレクサ、一つ又は複数の送受切換器等とすることができる。実施例では、この送受信機モジュール１２は、様々な無線技術、例えば、ＵＭＴＳ、ＬＴＥ、上記の方式の中の一つ、（英語で「Ｗｉｒｅｌｅｓｓ  Ｌｏｃａｌ  Ａｃｃｅｓｓ  Ｎｅｔｗｏｒｋ：ＷＬＡＮ」と呼ばれる）ワイヤレス・ローカル・アクセスネットワーク又はそれ以外の無線方式を利用することができる。
【００４５】
この装置１０は、更に、送受信機モジュール１２と接続された制御モジュール１４を備えている。この制御モジュール１４は、少なくとも一つの移動体送受信機１５０により受信されたデータパケットに基づき、そのデータパケットに関連しているサービスの品質基準に関する情報を決定して、その品質基準に関する情報に基づき、基地局送受信機２００を介してパケットデータネットワーク・インタフェースとの少なくとも一つのデータ接続１１０を構築するように構成されている。実施例では、制御モジュール１４は、任意のコントローラ、プロセッサ又はプログラミング可能なハードウェアコンポーネントに対応するものでもよい。例えば、制御モジュール１４は、対応するハードウェアコンポーネントのためにプログラミングされたソフトウェアとして実現することもできる。その限りにおいて、制御モジュール１４は、それに対応して適合されたソフトウェアを用いてプログラミング可能なハードウェアコンポーネントとして実現することができる。この場合、デジタル信号プロセッサ（ＤＳＰ）などの任意のプロセッサを採用することができる。この場合、実施例は、所定の形式のプロセッサに限定されない。制御モジュール１４を実現するために、任意のプロセッサ又は複数のプロセッサも考えられる。品質基準としては、例えば、最小帯域幅（例えば、保証された平均データ速度又はデータスループット）、（例えば、リアルタイムサービスの場合に想定される、保証された配信時間との意味における、英語で「Ｄｅｌａｙ」とも呼ばれる）最大遅延又は最大ビットエラー率が考えられる。品質基準に関する情報は、多くの場合（英語で「Ｑｕａｌｉｔｙ  ｏｆ  Ｓｅｒｖｉｃｅ」と呼ばれる）ＱｏＳとの頭字語で略称される。パケットデータネットワーク・インタフェース３２４とのデータ接続１１０は、実施例では、例えば、（英語で「Ｅｖｏｌｖｅｄ  Ｐａｃｋｅｔ  Ｓｗｉｔｃｈｅｄ  Ｓｙｓｔｅｍ（ＥＰＳ）ベアラ」とも呼ばれる）パケットデータ伝送用プロトコル変換コンテクストに対応するものでもよい。
【００４６】
基地局送受信機又は基地局（これらの用語は同義語として使用できる）は、一つ又は複数の動作中の移動体無線機器と通信するとともに、例えば、マクロセル基地局又はスモールセル基地局としての別の基地局送受信機又は基地局の提供エリア又はカバーエリア内又はそのエリアに近い無線機器と通信するように構成することができる。そのため、実施構成は、一つ又は複数の移動体無線機器と一つ又は複数の基地局を有する移動体通信システムを含むことができ、基地局送受信機は、マクロセル又はスモールセル、例えば、ピコセル、メトロセル又はフェムトセルを提供することができる。移動体送受信機又は移動体無線機器は、スマートフォン（インテリジェント電話）、ハンディフォン、ユーザー機器、無線機器、移動体、移動体局、ラップトップ、ノートブック、パーソナルコンピュータ（ＰＣ）、パーソナル・デジタル・アシスタント（ＰＤＡ）、ユニバーサル・シリアル・バス（ＵＳＢ）スティック又はアダプタ、自動車等に対応するものでもよい。移動体送受信機は、３ＧＰＰ用語に準拠すると、英語で「Ｕｓｅｒ  Ｅｑｕｉｐｍｅｎｔ：ＵＥ」又は移動体と呼ぶこともできる。
【００４７】
基地局送受信機又は基地局は、少なくとも移動体無線機器の観点から、ネットワーク又はシステムの固定部分又は少なくとも固定接続部分内に置くことができる。基地局送受信機又は基地局は、リモート無線局、中継基地局、伝送ポイント、（英語で「Ａｃｃｅｓｓ  Ｐｏｉｎｔ」とも呼ばれる）アクセスポイント、無線機器、マクロセル、スモールセル、マイクロセル、フェムトセル、メトロセル等に対応するものでもよい。そのため、基地局又は基地局送受信機は、移動体無線ネットワークへの端末機器／移動体送受信機のアクセスを実現する無線キャリア又は無線インタフェースを介して無線接続を提供するノード／ユニットの論理的な概念として理解される。
【００４８】
基地局又は基地局送受信機は、有線ネットワークに対する移動体無線端末機器用ワイヤレスインタフェースを表すことができる。使用する無線信号は、３ＧＰＰにより標準化された無線信号とするか、或いは一般的に上記のシステムの中の一つ又は複数に準拠する無線信号とすることができる。そのようにして、基地局又は基地局送受信機は、ノードＢ、ｅノードＢ、ベーストランシーバ局（ＢＴＳ）、アクセスポイント、リモート無線局、伝送ポイント、中継局等に対応付けることができ、これらは、更に別の無線ユニットに分割することができる。
【００４９】
移動体無線機器又は移動体送受信機は、基地局又はセルに対応付けるか、或いはそこに登録することができる。「セル」との用語は、基地局、例えば、ノードＢ（ＮＢ）、ｅノードＢ（ｅＮＢ）、リモート無線局、伝送ポイント、中継局等により提供される無線サービスのカバーエリアに関する用語である。基地局は、一つ又は複数の搬送周波数上で一つ又は複数のセルを提供する。多くの実施構成では、一つのセルは、一つのセクタに対応付けることもできる。例えば、アンテナ設置場所の周りの角度範囲をカバーするように構成されたセクタアンテナを備えたセクタを作ることができる。幾つかの実施構成では、三つ又は六つのセル又はセクタ（例えば、三つのセルの場合１２０°、六つのセルの場合６０°）を動作させるように基地局を設計することができる。一つの基地局は複数のセクタアンテナを備えることができる。以下において、「セル」及び「基地局」との用語を同義語として使用することもできる。更に、固定基地局と移動体基地局が区別され、移動体基地局は、移動体中継局として機能することもできる。
【００５０】
言い換えると、実施構成では、移動体通信システムは、異なるセルタイプ、例えば、（英語で「Ｃｌｏｓｅ  Ｓｕｂｓｃｒｉｂｅｒ  Ｇｒｏｕｐ（ＣＳＧ）」とも呼ばれる）クローズド・ユーザー・グループから成るセル、オープン・セル、並びに、例えば、マクロセルやスモールセル（この場合、スモールセルのカバーエリアは、マクロセルのカバーエリアよりも小さい）などの異なる大きさのセルを有する異種セルネットワーク（ＨｅｔＮｅｔ）から構成することもできる。スモールセルは、メトロセル、マイクロセル、ピコセル、フェムトセル等に対応するものでもよい。個々のセルのカバーエリアは、その提供領域用基地局によって提供され、基地局の送信電力と各エリアの干渉条件に依存する。多くの実施構成では、スモールセルのカバーエリアは、別のセルの提供エリアによって、少なくとも部分的に囲まれるか、或いは、例えば、マクロセルの提供エリアと部分的に一致するか、又は重なり合うことができる。スモールセルは、ネットワークの容量を拡大するために採用することができる。従って、メトロセルは、マクロセルよりも小さい面積をカバーするために使用することができ、例えば、人口密集地帯の一つの街路又は区画をカバーするためにメトロセルを使用することができる。マクロセル用のカバーエリアは、１Ｋｍ又は数Ｋｍの規模の直径とすることができ、マイクロセル用のカバーエリアは、１Ｋｍ未満の直径とすることができ、ピコセルは、１００ｍ未満の直径とすることができる。フェムトセルは、最も小さいカバーエリアとすることができ、例えば、家庭、自動車又は空港のゲートのエリアをカバーするために使用することができ、即ち、その送信領域は、５０ｍ未満の直径とすることができる。
【００５１】
逆側においても無線接続を介して移動体通信システムの基地局と通信する基地局送受信機は、中継送受信機とも呼ばれる。実施例では、それらは、移動体送受信機のために、セル、例えば、スモールセルを提供するが、それ自体は、移動体通信システムと通信して、移動体送受信機の問い合わせを転送するために無線接続を使用する。この場合、中継送受信機は、例えば、より大きなアンテナ、より良好な供給電力及び（例えば、山の上の、或いは車両の外のアンテナを用いた）より有利な設置場所によって、移動体通信システムとのより良好な接続を構築して、移動体通信システムとの移動体送受信機の接続を改善することができる。中継送受信機のそれ以外の形態は、上記中継送受信機と異なり設置場所が固定されているのではなく、移動する移動体中継送受信機である。実施例では、例えば、移動体中継送受信機は、車両、例えば、自動車、列車又は船の中で使用することができ、そこでは、車両の乗客にセルを、従ってそれに対応するコードレスサービスを、提供することができる。
【００５２】
実施例では、制御モジュール１４は、異なる品質基準による基地局送受信機２００を介したパケットデータネットワーク・インタフェース３２４とのデータ接続１１０を少なくとも一つの送受信機モジュール１２を介して構築するように構成することができる。この制御モジュール１４は、例えば、データパケットに関連しているサービスの品質基準に関する情報に基づき、それに対応する品質基準により基地局送受信機２００を介してパケットデータネットワーク・インタフェース３２４との少なくとも一つのデータ接続１１０を構築し、同じ接続を介して、同じ品質基準を有するデータサービスに対応付けられたデータパケットを基地局送受信機２００に伝送するように構成することができる。この場合、データパケットは、例えば、ヘッダデータ、ユーザーデータ及びエンドデータから構成することができる。ヘッダデータ及びヘッダ情報は、データパケットに関する情報、例えば、アドレスの形のデータパケットの送信元及び送信先、データパケットの長さ、例えば、（英語で「Ｃｙｃｌｉｃ  Ｒｅｄｕｎｄａｎｃｙ  Ｃｈｅｃｋ：ＣＲＣ」とも呼ばれる）巡回冗長検査方法に基づく検査・復元情報を有することができる。ユーザーデータは、伝送すべきデータから構成される。場合によっては、特別な品質基準により表すことができるデータサービスは、例えば、（英語で「Ｖｏｉｃｅ  ｏｖｅｒ  Ｉｎｔｅｒｎｅｔ  Ｐｒｏｔｏｃｏｌ：ＶｏＩＰ」と呼ばれる）インターネットを介した音声電話とビデオ・オーディオサービスである。
【００５３】
多くの実施例では、制御モジュール１４は、複数の受信されたデータパケットに基づき、それらのデータパケットに関連している複数のサービスに対する複数の品質基準に関する情報を決定して、それらの複数の品質基準に関する情報に基づき、基地局送受信機２００を介してパケットデータネットワーク・インタフェース３２４との複数のデータ接続１１０を構築するように構成することができる。そのようにして、制御モジュール１４は、例えば、異なる品質基準を満たす音声電話、ビデオサービス及びそれ以外のデータパケットのために別個のデータ接続を構築することができる。
【００５４】
図２は、ＬＴＥにおいて専用の無線リソースを用いて品質基準に基づくデータ接続１１０を構築する実施例を図示している。ＬＴＥにおける（英語で「ＱｏＳ  Ｐｒｏｖｉｓｉｏｎｉｎｇ」とも呼ばれる）品質基準に基づく無線リソースの提供は、ＩＭＳ方式によってサポートされている。実施例では、ＩＭＳは、マルチメディアサービスを管理するための基本的な枠組みである。ＩＭＳアーキテクチャは、三つの機能グループ（ＩＭＳをサポートするエンドポイント間のマルチメディア通信の設定、提供業者によりプラットフォームベースで提供されるサービスの提供及び外部ネットワークとの接続）を提供する。このＩＭＳアーキテクチャは、ネットワークリソースの提供に関する決定及び異なるインターネットプロトコルベースのデータ伝送に関する品質基準の管理に責任を持つ論理ユニットである（英語で「Ｐｏｌｉｃｙ  Ｄｅｃｉｓｉｏｎ  Ｆｕｎｃｔｉｏｎ：ＰＤＦ」と呼ばれる）ガイドライン決定機能（Ｒｉｃｈｔｌｉｎｉｅｎ−Ｅｎｔｓｃｈｅｉｄｕｎｇｓ−Ｆｕｎｋｔｉｏｎ）を有する。ＩＭＳセッションを構築するための全てのエンド・ツー・エンドのネゴシエーションは、サービスの設定を許可するとともに、品質基準に基づくデータサービスの処理を提供する移動体通信システム内の手続きの実行を管轄するガイドライン決定機能を通過する。ＬＴＥでは、これは、例えば、図２において、「Ｒｘ＋」インタフェースを介してＩＭＳを示すコンポーネント３１２と接続され、「Ｓ７」インタフェースを介して（英語で「Ｐａｃｋｅｔ  Ｄａｔａ  Ｎｅｔｗｏｒｋ−ＧａｔｅＷａｙ：ＰＤＮ−ＧＷ」と呼ばれる）パケットデータネットワーク・インタフェース３２４と接続されるガイドライン・計算機能（ＰＣＲＦ）３１４である。
【００５５】
ＬＴＥの実施例では、例えば、ＩＭＳ３１２又は具体的にはガイドライン・計算機能３１４が新しいルールを通知したので、品質基準に基づくデータサービスの区別を可能とする無線接続のアクティベーションは、パケットデータネットワーク・インタフェース３２４によって始動される。パケットデータネットワーク・インタフェース３２４は、この問い合わせを受け取ると、「Ｓ５」インタフェースを介して接続された（英語で「Ｓｅｒｖｉｎｇ−ＧａｔｅＷａｙ：Ｓ−ＧＷ」と呼ばれる）サービス・インタフェース３２２に無線接続を設定するための問い合わせを送信する。次に、この実施例では、Ｓ−ＧＷ３２２が、「Ｓ１１」インタフェースを介して接続された（英語で「Ｍｏｂｉｌｉｔｙ  Ｍａｎａｇｅｍｅｎｔ  Ｅｎｔｉｔｙ：ＭＭＥ」と呼ばれる）移動体・管理ユニット３０４に無線接続を設定するための別の問い合わせを転送する。次に、この移動体・管理ユニット３０４は、「Ｓ１−Ｃ」インタフェースを介して接続された（英語で「Ｒａｄｉｏ  Ａｃｃｅｓｓ  Ｎｅｔｗｏｒｋ：ＲＡＮ」と呼ばれる）アクセスネットワークに対する、ここでは、Ｅ−ＵＴＲＡＮ２００に対する無線接続のアクティベーションを始動する。ユーザーデータを伝送するために、Ｓ−ＧＷ３２２は、「Ｓ１−Ｕ」インタフェースを介してＥ−ＵＴＲＡＮ２００と接続される。
【００５６】
異なる実施例において、中継送受信機１００は、移動体中継送受信機、例えば、（英語で「Ｖｅｈｉｃｕｌａｒ  Ｓｍａｌｌ  Ｃｅｌｌ：ＶＳＣ」と呼ばれる）車両用スモールセルとすることができる。そのようにして、場合によっては、例えば、自動車、列車、船及び飛行機の中において、そのような車両内での移動体通信システムの使用が車両を覆う物体による移動体通信システムの信号の減衰によって難しくなるので、移動体中継送受信機を使用することが考えられる。実施例では、移動体中継送受信機が無線セルを提供することができ、その結果、例えば、車両の乗客が移動体通信システムを使用することができ、場合によっては、移動体中継送受信機が無い場合の移動体送受信機と比べて、車両を通り抜ける供給エネルギーが改善されて、アンテナ用に使用可能な面積が大きくなることによって、移動体通信システムとの接続の改善を実現することができる。
【００５７】
図３に図示されている通り、実施例では、移動体通信システム３００は、更に、調整モジュール３１０、リンク接続３２０及びネットワークコンポーネント３５０を有することができる。この場合、実施例では、中継送受信機１００は、リンク接続３２０を介して、移動体送受信機１５０のデータパケットを受信するネットワークコンポーネント３５０と接続することができる。この場合、実施例では、ネットワークコンポーネント３５０は、リンク接続３２０と―つまり中継送受信機１００と、移動体通信システムの提供業者のネットワークとの間のインタフェースとすることができる。これらのネットワークコンポーネント３５０の別の実施例は、本明細書の進行中に詳しく説明する。実施例では、調整モジュール３１０は、品質基準に関する情報に基づき、リンク接続３２０の一部であるデータ接続１１０を構築するように構成することができる。実施例では、調整モジュール３１０は、例えば、図２、５及び６に図示されている通り、（英語で「Ｐｏｌｉｃｙ  ａｎｄ  Ｃｈａｒｇｉｎｇ  Ｒｕｌｅ  Ｆｕｎｃｔｉｏｎ：ＰＣＲＦ」と呼ばれる）ガイドライン・計算機能と共に、インターネットプロトコル・マルチメディアサブシステム（ＩＭＳ）に対応するものにできる。この制御モジュール１４は、更に、図３で矢印が示す通り、インターネットプロトコル・マルチメディアサブシステム・インタフェース１４０４を介して、品質基準に関する情報を調整モジュール３１０に伝えるように構成することができる。
【００５８】
多くの実施例では、制御モジュール１４は、データパケットのヘッダデータから品質基準を抽出することによって、そのデータパケットに関連しているサービスの品質基準に関する情報を算出するように構成することができる。この場合、ヘッダデータは、明示的な品質基準、例えば、（英語で「Ｄｉｆｆｅｒｅｎｔｉａｔｅｄ  Ｓｅｒｖｉｃｅｓ：Ｄｉｆｆｓｅｒｖ」と呼ばれる）ディフサーブ（ＤｉｆｆＳｅｒｖ）分類を含むことができ、その結果、制御モジュール１４は、優先順位の高いデータパケットのために、例えば、ＬＴＥ及び（英語で「Ｗｉｒｅｌｅｓｓ  Ｌｏｃａｌ  Ａｃｃｅｓｓ  Ｎｅｔｗｏｒｋ：ＷＬＡＮ」と呼ばれる）ワイヤレス・ローカル・アクセスネットワークなどにおける無線技術によりサポートされる場合は、厳格な品質基準によるデータ接続を構築することができる。
【００５９】
実施例では、制御モジュール１４は、更に、データパケットの内容のパターン分析によって、そのデータパケットに関連しているサービス品質基準に関する情報を算出するように構成することができる。この場合、実施例では、制御モジュール１４は、（英語で「Ｐａｃｋｅｔ  Ｄａｔａ  Ｎｅｔｗｏｒｋ−ＧａｔｅＷａｙ：ＰＤＮ−ＧＷ」と呼ばれる）パケットデータネットワーク・インタフェース３２４の役割を引き受けて、パターン認識を用いて、品質基準に関する情報を算出することができる。この場合、例えば、データサービスを認識するために、（英語で「Ｔｒａｆｆｉｃ  Ｆｌｏｗ  Ｔｅｍｐｌａｔｅ：ＴＦＴ」と呼ばれる）データトラフィックフロー・テンプレートを使用することができ、実施例では、数値表を引くことによって、対応する品質基準を算出することができる。
【００６０】
実施例では、制御モジュール１４は、更に、暗号化された形でデータ接続１１０を介して通信するように構成することができる。そのことは、実施例において、リンク接続上でのデータパケットの盗聴に対するセキュリティを改善する役割を果たすことができる。そのために、実施例では、例えば、一つ又は複数のＩＰＳｅｃ−トンネル（英語で「Ｉｎｔｅｒｎｅｔ  Ｐｒｏｔｏｃｏｌ  Ｓｅｃｕｒｉｔｙ  Ｔｕｎｎｅｌ」とも呼ばれるインターネット・セキュリティ・トンネル）、或いはそれ以外の暗号化プロトコルに基づき暗号化されたトンネル又は接続を使用することができる。そのようにして、実施例では、例えば、各データ接続１１０において、それぞれ一つの品質基準に対応する別個のＩＰＳｅｃ−トンネルを構築するか、或いは複数のデータ接続１１０に対して一つのＩＰＳｅｃ−トンネルを構築することができ、その場合、パケットは、それに対応する品質基準と一致するデータ接続１１０を介して伝送される。実施例ではデータ接続１１０は、例えば、（英語で「Ｅｖｏｌｖｅｄ  Ｐａｃｋｅｔ−ｓｗｉｔｃｈｅｄ  Ｓｙｓｔｅｍ（ＥＰＳ）−Ｂｅａｒｅｒ」とも呼ばれる）パケットデータ伝送用プロトコル変換コンテクストに対応するものでもよい。
【００６１】
図４は、移動体通信システム３００における少なくとも一つの移動体送受信機１５０にデータサービスを提供するネットワークコンポーネント３５０のための装置２０の実施例を図示している。この移動体通信システムは、更に、中継送受信機１００を有する。この装置２０は、その一つの中継送受信機１００を介して少なくとも一つの移動体送受信機１５０と通信するとともに、その少なくとも一つの移動体送受信機１５０の少なくとも一つの通信相手３３０と通信するように構成された少なくとも一つのインタフェースモジュール２２を備えている。実施例では、通信相手３３０は、例えば、移動体通信システムの提供業者の電話インフラストラクチャ、データサービスのサービス提供業者又は別の移動体送受信機に対応するものでもよい。実施例では、インタフェースモジュール２２は、データパケットベースのデータサービスのための（英語で「Ｒｏｕｔｅｒ」とも呼ばれる）中継ノード又は二つのネットワーク間でデータパケットを中継するための（英語で「Ｂｒｉｄｇｅ」とも呼ばれる）ネットワーク・ブリッジに対応するものでもよい。この場合、インタフェースモジュール２２は、例えば、移動体通信システムの二つの提供業者のットワーク間の移行部分、或いは、例えば、（英語で「Ｒａｄｉｏ  Ａｃｃｅｓｓ  Ｎｅｔｗｏｒｋ」とも呼ばれる）無線アクセスネットワークと（英語で「Ｃｏｒｅ  Ｎｅｔｗｏｒｋ」とも呼ばれる）主ネットワーク間の移行部分とすることができる。この装置２０は、更に、少なくとも一つの移動体送受信機１５０の少なくとも一つの通信相手３３０により受信されたデータパケットに基づき、そのデータパケットに関連しているサービスの品質基準に関する情報を決定して、その品質基準に関する情報に基づき、移動体通信システム３００のパケットデータネットワーク・インタフェース３２４を介して中継送受信機１００とのデータ接続１１０を構築するように構成されたインタフェースモジュール２２と接続された制御モジュール２４を有する。実施例では、この制御モジュール２４は、任意のコントローラ、プロセッサ又はプログラミング可能なハードウェアコンポーネントに対応するものでもよい。例えば、制御モジュール２４は、対応するハードウェアコンポーネントのためにプログラミングされたソフトウェアとして実現することもできる。その限りにおいて、制御モジュール２４は、それに応じて適合されたソフトウェアを備えたプログラミング可能なハードウェアとして実現することができる。この場合、デジタル信号プロセッサ（ＤＳＰ）などの任意のプロセッサを採用することができる。この場合、実施例は、所定の形式のプロセッサに限定されない。制御モジュール２４を実現するために、任意のプロセッサ又は複数のプロセッサも考えられる。実施例では、データ接続１１０は、複数のネットワーク要素と（英語で「ＧａｔｅＷａｙ」とも呼ばれる）ネットワーク移行部分を介した、例えば、パケットデータネットワーク、パケット式電力ベース無線ネットワーク、並びに、例えば、図５にも図示されている通り、モデム１２０２、基地局送受信機２００及び（英語で「Ｓｅｒｖｉｎｇ  ＧａｔｅＷａｙ：Ｓ−ＧＷ」とも呼ばれる）サービス・インタフェー���３２２を介したデータ接続に対応するものでもよい。
【００６２】
多くの実施例では、制御モジュール２４は、異なる品質基準による中継送受信機１００を介した移動体送受信機１５０とのデータ接続１１０を少なくとも一つのインタフェースモジュール２２とパケットデータネットワーク・インタフェース３２４を介して構築するように構成することができる。この制御モジュール２４は、更に、例えば、データパケットに関連しているサービスの品質基準に関する情報に基づき、それに対応する品質基準による中継送受信機１００との少なくとも一つのデータ接続１１０を構築し、同じリンク接続３２０を介して同じ品質基準によるデータサービスに対応付けられたデータパケットを中継送受信機１００に伝送するように構成することができる。この場合、データパケットは、ヘッダデータ、ユーザーデータ及びエンドデータから構成することができる。ヘッダデータ及び情報は、データパケットに関する情報、例えば、データパケットの送信元及び送信先、データパケットの長さ、例えば、（英語で「Ｃｙｃｌｉｃ  Ｒｅｄｕｎｄａｎｃｙ  Ｃｈｅｃｋ：ＣＲＣ」とも呼ばれる）巡回冗長検査方法に基づく検査・復元情報を有することができる。ユーザーデータは、伝送すべきデータから構成される。場合によっては、特別な品質基準により表現できるデータサービスは、例えば、（英語で「Ｖｏｉｃｅ  ｏｖｅｒ  Ｉｎｔｅｒｎｅｔ  Ｐｒｏｔｏｃｏｌ：ＶｏＩＰ」と呼ばれる）インターネットを介した音声電話とビデオ・オーディオサービスである。
【００６３】
実施例では、制御モジュール２４は、更に、複数の受信されたデータパケットに基づき、それらのデータパケットに関連している複数のサービスに対する複数の品質基準に関する情報を決定して、それらの複数の品質基準に関する情報に基づき、中継送受信機１００との複数のデータ接続１１０を構築するように構成することができる。そのようにして、制御モジュール２４は、例えば、異なる品質基準を満たす音声電話、ビデオサービス及びそれ以外のデータパケットのための別個のデータ接続を構築することができる。
【００６４】
更に、図３に図示されている通り、実施例では、移動体通信システム３００が、更に、調整モジュール３１０を有することができる。この調整モジュール３１０は、例えば、品質基準に関する情報に基づき、データ接続１１０を構築するように、そのためリンク接続３２０も構築するように構成することができる。実施例では、この調整モジュール３１０は、品質基準に関する情報に基づき、少なくとも一つのデータ接続１１０を構築するように構成することができる。実施例では、この調整モジュール３１０は、例えば、図２、５及び６に図示されている通り、（英語で「Ｐｏｌｉｃｙ  ａｎｄ  Ｃｈａｒｇｉｎｇ  Ｒｕｌｅ  Ｆｕｎｃｔｉｏｎ：ＰＣＲＦ」と呼ばれる）ガイドライン・計算ルール機能と共に、インターネットプロトコル・マルチメディアサブシステム（ＩＭＳ）に対応するものでもよい。この場合、制御モジュール２４は、更に、インターネットプロトコル・マルチメディアサブシステム・インタフェース３５４を介して、品質基準に関する情報を調整モジュール３１０に伝えるように構成することができる。
【００６５】
別の実施例では、制御モジュール２４は、データパケットのヘッダデータから品質基準を抽出することによって、そのデータパケットに関連しているサービスの品質基準に関する情報を算出するように構成することができる。この場合、ヘッダデータは、明示的な品質基準、例えば、ディフサーブ分類を含むことができ、その結果、制御モジュール２４は、例えば、ＬＴＥ及び（英語で「Ｗｉｒｅｌｅｓｓ  Ｌｏｃａｌ  Ａｃｃｅｓｓ  Ｎｅｔｗｏｒｋ：ＷＬＡＮ」と呼ばれる）ワイヤレスローカルアクセスネットワークなどにおけるデータ伝送技術によりサポートされる限り、優先順位の高いデータパケットのために厳格な品質基準によるデータ接続を構築することができる。
【００６６】
この制御モジュール１４は、更に、データパケットの内容をパターン分析することによって、そのデータパケットに関連しているサービスの品質基準に関する情報を算出するように構成することができる。この場合、実施例では、制御モジュール２４が、（英語で「Ｐａｃｋｅｔ  Ｄａｔａ  Ｎｅｔｗｏｒｋ−ＧａｔｅＷａｙ：ＰＤＮ−ＧＷ」と呼ばれる）パケットデータネットワーク・インタフェースの役割を引き受けて、パターン認識を用いて、品質基準に関する情報を算出することができる。この場合、例えば、データサービスを認識するために、（英語で「Ｔｒａｆｆｉｃ  Ｆｌｏｗ  Ｔｅｍｐｌａｔｅ：ＴＦＴ」と呼ばれる）データトラフィックフロー・テンプレートを使用することができ、実施例では、数値表を引くことによって、それに対応する品質基準を算出することができる。
【００６７】
実施例では、制御モジュール２４は、暗号化された形でリンク接続３２０を介して通信するように構成することができる。それは、実施例において、リンク接続上でのデータパケットの盗聴に対するセキュリティを改善する役割を果たすことができる。そのために、実施例では、例えば、一つ又は複数のＩＰＳｅｃ−トンネル（英語で「Ｉｎｔｅｒｎｅｔ  Ｐｒｏｔｏｃｏｌ  Ｓｅｃｕｒｉｔｙ  Ｔｕｎｎｅｌ」とも呼ばれるインターネット・セキュリティ・トンネル）、或いはそれ以外の暗号化プロトコルに基づき暗号化されたトンネルを使用することができる。そのようにして、実施例では、例えば、各データ接続１１０において、それぞれ一つの品質基準に対応する別個のＩＰＳｅｃ−トンネルを構築するか、或いは複数のデータ接続１１０に対して一つのＩＰＳｅｃ−トンネルを構築することができ、その場合、パケットは、それに対応する品質基準と一致するデータ接続１１０を介して伝送される。実施例では、一つのデータ接続１１０は、例えば、（英語で「Ｅｖｏｌｖｅｄ  Ｐａｃｋｅｔ−ｓｗｉｔｃｈｅｄ  Ｓｙｓｔｅｍ（ＥＰＳ）−Ｂｅａｒｅｒ」とも呼ばれる）パケットデータ伝送用プロトコル変換コンテクストに対応するものでもよい。
【００６８】
図５と６は、ネットワーク環境における中継送受信機１００の実施例を図示している。この場合、図５は、上記の記述に基づき中継送受信機１００とデータパケットを通信する移動体送受信機１５０を図示している。この場合、中継送受信機１００は本装置１０から構成される。図５では、本装置１０は、スモールセル用基地局送受信機１２０４、リンク接続用モデム１２０２、ローカルネットワーク・インタフェース１４０２及びＩＭＳインタフェース１４０４を備えている。この場合、送受信機モジュール１２は、スモールセル用基地局送受信機１２０４とリンク接続用モデム１２０２を備えることができる。実施例では、制御モジュール１４は、ローカルネットワーク・インタフェース１４０２とＩＭＳインタフェース１４０４を備えると同時に、送受信機モジュール１２のコンポーネントを調節、制御することができる。リンク接続３２０は、スモールセル用基地局送受信機１２０４から、モデム１２０２、基地局送受信機２００、Ｓ−ＧＷ３２２、ＰＤＮ−ＧＷ３２４を介して、別のＩＭＳインタフェース３５４と共にネットワークコンポーネント３５０に含まれるＶＳＣ−ＧＷ３５２にまで延びている。この場合、実施例では、リンク接続３２０は、例えば、一つ又は複数のＩＰＳｅｃ−トンネルによって、暗号化することができる。この場合、実施例では、リンク接続３２０は、モデム１２０２から、基地局送受信機２００及びＳ−ＧＷ３２２を介して、ＰＤＮ−ＧＷ３２４にまで延びる一つ又は複数のデータ接続１１０を使用する。このＶＳＣ−ＧＷ３５２は、更に、主ネットワーク３４０と接続されている。調整モジュール３１０が、二つのＩＭＳインタフェース１４０４及び３５４と接続されるとともに、又もやＰＤＮ−ＧＷ３２４と接続されたＩＭＳ３１２とＰＣＲＦ３１４を有する。この基地局送受信機２００は、更に、ＭＭＥ３０４と接続されている。図６では、同じ符号が、図５と同じ構成要素を表す。図６は、更に、「Ｓ４」インタフェースを介してローカルネットワーク・インタフェース１４０２と接続された（英語で「Ｒａｄｉｏ  Ｒｅｓｏｕｒｃｅ  Ｃｏｎｔｒｏｌ：ＲＲＣ」と呼ばれる）無線リソース制御ユニット１４０８と、ローカルネットワーク・インタフェース１４０２とＩＭＳインタフェース１４０４の間の「Ｓ１」インタフェースとを図示している。
【００６９】
ここで、中継送受信機１００の実施例として、（英語で「Ｖｅｈｉｃｕｌａｒ  Ｓｍａｌｌ  Ｃｅｌｌ：ＶＳＣ」と呼ばれる）車両用中継送受信機１００の例を選定する。そこで、データパケットの優先順位付けに関する、この分野で周知の制約を解くために、以下の実施例では、中継送受信機１００の二つの新しい下位ユニットであるローカルネットワーク・インタフェース１４０２とＩＭＳインタフェース１４０４を提案する。
【００７０】
このローカルネットワーク・インタフェース１４０２は、例えば、移動体送受信機１５０により使用される暗号化されたデータサービスを特定することを担当する。実施例では、ユーザーの区別は瑣末なことであり、データサービスの区別が、以下の手順によって実現される。
（ａ）データパケットのヘッダデータからの品質基準の抽出。この場合、ヘッダデータは、明示的な品質基準、例えば、ディフサーブ分類を含むことができ、その結果、ローカルネットワーク・インタフェース１４０２は、例えば、ＬＴＥ及び（英語で「Ｗｉｒｅｌｅｓｓ  Ｌｏｃａｌ  Ａｃｃｅｓｓ  Ｎｅｔｗｏｒｋ：ＷＬＡＮ」と呼ばれる）ワイヤレス・ローカルアクセスネットワークなどでの無線技術によりサポートされる場合には、優先順位の高いデータパケットのために、厳格な品質基準によるデータ接続を構築することができる。
（ｂ）データパケットの内容のパターン分析による、データパケットに関連しているサービスの品質基準に関する情報の算出。この場合、実施例では、ローカルネットワーク・インタフェース１４０２は、（英語で「Ｐａｃｋｅｔ  Ｄａｔａ  Ｎｅｔｗｏｒｋ−ＧａｔｅＷａｙ：ＰＤＮ−ＧＷ」と呼ばれる）パケットデータネットワーク・インタフェース３２４の役割を引き受けて、パターン認識を用いて、品質基準に関する情報を算出する。この場合、例えば、データサービスを検知するために、（英語で「Ｔｒａｆｆｉｃ  Ｆｌｏｗ  Ｔｅｍｐｌａｔｅ：ＴＦＴ」と呼ばれる）データトラフィックフロー・テンプレートを使用することができ、実施例では、数値表を引くことによって、品質基準の相応の５つのタプルを算出することができる。実施例では、この手順は、ケーブル接続されたフェムトセルの場合でも採用することができる。
【００７１】
移動体中継送受信機１００のローカルネットワーク・インタフェース１４０２は、品質基準が所定の要件に一致するデータパケットを伝送するために、リンク接続３２０上におけるデータ接続１１０用の（英語で「Ｄｅｄｉｃａｔｅｄ  Ｂｅａｒｅｒ」とも呼ばれる）専用の無線リソースに対する要求を特定した場合、実施例では、移動体中継送受信機１００が、データ接続１１０及びリンク接続３２０用の追加の専用の無線リソースを使用するために、アプリケーションレベル上の機能を実行することができる。ここで、明確さを実現するために、（英語で「Ｄｏｗｎｌｉｎｋ」とも呼ばれる）ダウンリンクと（英語で「Ｕｐｌｉｎｋ」とも呼ばれる）アップリンクに分けて記述する。
【００７２】
ローカルネットワーク・インタフェース１４０２が、データサービスのデータパケットが新しい品質基準によるデータ接続を必要とすることを確認すると、実施例では、ローカルネットワーク・インタフェース１４０２は、それに対応する問い合わせを移動体通信システム３００に対して行なうために、ＩＭＳインタフェース１４０４に通知するとともに、その後リンク接続用モデム１２０２にも通知することができる（図６のＳ１とＳ４を参照）。これらの問い合わせが受け入れられた場合、これらの問い合わせは、例えば、専用の無線リソースを提供するための手続き又は専用の無線リソースのパラメータを適合するための手続きを作動させる。
【００７３】
以下では、実施例で実行できる通りの手続きを詳しく説明する。上述した装置１０を有する移動体中継送受信機１００におけるＩＭＳインタフェース１４０４は、ローカルネットワーク・インタフェース１４０２の問い合わせを受け取ると、例えば、ネットワークコンポーネント３５０のＩＭＳインタフェース３５４を用いて、特定のセッション信号プロトコルを介してサービスの利用をネゴシエーションして決定する（Ｓ２を参照）。この実施例は、アプリケーションレベルにおいて、サービス記述に関する情報のために（英語で「Ｓｅｓｓｉｏｎ  Ｄｅｓｃｒｉｐｔｉｏｎ  Ｐｒｏｔｏｃｏｌ：ＳＤＰ」と呼ばれる）セッション記述プロトコルにおける所定のフィールドを使用するものとしている。実施例では、アプリケーションレベルにおいて、移動体中継送受信機１００とネットワークコンポーネント３５０が、例えば、ＬＴＥでパケットデータネットワーク・インタフェース（ＰＤＮ−ＧＷ）３２４におけるリンク接続３２０を使用する品質基準に関する情報とパターン認識用テンプレート（ＴＦＴ）をネゴシエーションして決定する。
【００７４】
これらの情報は、更に、データサービスに関する情報をガイドライン・計算ルール機能（ＰＣＲＦ）３１４に提供するために（Ｓ３を参照）、ＩＭＳ３１２によって使用することができる。
【００７５】
アプリケーションレベルにおいて品質基準がネゴシエーションされて決定されると、実施例では、移動体中継送受信機１００におけるローカルネットワーク・インタフェース１４０２は、新しい無線リソースを使用するか、或いは既存の無線リソースを変更することを（英語で「Ｍｏｂｉｌｉｔｙ  ａｎｄ  Ｍａｎａｇｅｍｅｎｔ  Ｅｎｔｉｔｙ：ＭＭＥ」と呼ばれる）移動体・管理ユニット３０４に指示するために、品質基準に関するネゴシエーション結果を使用することができ、移動体中継送受信機１００のリンク接続の側では、（英語で「Ｒａｄｉｏ  Ｒｅｓｏｕｒｃｅ  Ｃｏｎｔｒｏｌ：ＲＲＣ」と呼ばれる）無線リソース制御ユニット１４０８が、その役割を果たすことができる（Ｓ５を参照）。
【００７６】
実施例では、ローカルネットワーク・インタフェース１４０２は、無線リソースの変更後の問い合わせ内において、パターン認識に関する情報（ＴＦＴ）と（英語で「Ｑｕａｌｉｔｙ  ｏｆ  Ｓｅｒｖｉｃｅ  Ｃｌａｓｓ  Ｉｄｅｎｔｉｆｉｅｒ：ＱＣＬ」と呼ばれる）品質基準クラス識別子及び（英語で「Ｇｕａｒａｎｔｅｅｄ  Ｂｉｔ  Ｒａｔｅ：ＧＢＲ」と呼ばれる）保証されたビットデータ速度に関する情報の両方を無線リソース制御ユニット１４０８を介して、移動体・管理ユニット３０４に伝えることができる。移動体・管理ユニット３０４は、それらの情報を受け取ると、実施例では、それらの情報を（英語で「Ｓｅｒｖｉｎｇ  ＧａｔｅＷａｙ：Ｓ−ＧＷ」と呼ばれる）サービス・インタフェース３２２と更にパケットデータネットワーク・インタフェース３２４に転送することができる（Ｓ６とＳ７を参照）。次に、パケットデータネットワーク・インタフェース３２４は、更に、ガイドライン・計算機能３１４に許可願いを出して、そこから、アプリケーションレベルにおいてネゴシエーションして決定された詳細結果を受信することができる（Ｓ８を参照）。ここで、実施例では、これらの情報を用いて、パケットデータネットワーク・インタフェース３２４は、データ接続１１０を構築するために、無線リソースの使用又は接続の構築に関する手続きを始動することができる。次に、実施例では、パケットデータネットワーク・インタフェース３２４は、異なるデータサービスのデータパケットをそれらの品質基準に対応する正しい接続上で転送することができる。
【００７７】
多くの実施例では、アップリンクにおける手続きは似ている。実施例では、ローカルネットワーク・インタフェース１４０２が、新しい品質基準を有するデータパケットを検出すると、ローカルネットワーク・インタフェース１４０２は、ＩＭＳ３１２を介して移動体中継送受信機１００とネットワークコンポーネント３５０間での品質基準のネゴシエーションを起動することができる。この場合、例えば、データ接続１１０を指示するＬＴＥネットワークのガイドライン・計算３１４も関与することができる。次に、幾つかの実施例では、ガイドライン・計算機能３１４が、接続のためのガイドラインを確定する。実施例では、品質基準がネゴシエーションされて決まると、実施例では、ローカルネットワーク・インタフェース１４０２が、無線接続を制御する無線リソース制御ユニット１４０８に品質基準とテンプレート（ＴＦＴ）の詳細を伝えることができる。場合によっては、移動体・管理ユニット３０４への無線リソースの変更に関する問い合わせが行なわれる。ガイドライン・計算ユニット３１４は、ネゴシエーションされて決定された詳細を知っているので、その問い合わせを受け入れて、専用の無線リソース／無線接続を構築するか、或いは専用の無線リソース／無線接続のパラメータを変更することができる。次に、実施例では、移動体中継送受信機１００のローカルネットワーク・インタフェース１４０２が、異なるデータサービスのデータパケットをそれらの品質基準に対応する正しい接続上で転送することができる。
【００７８】
図７は、実施例における、中継送受信機１００から基地局送受信機２００及びパケットデータネットワーク・インタフェース３２４を介してネットワークコンポーネント３５０にまで延びるリンク接続３２０と、中継送受信機１００から基地局送受信機２００を介してパケットデータネットワーク・インタフェース３２４にまで延びるデータ接続１１０との違いを図示している。この場合、中継送受信機１００、基地局送受信機２００、パケットデータネットワーク・インタフェース３２４は、少なくとも一つの移動体送受信機１５０を更に有する移動体通信システム３００に含まれる。
【００７９】
図８と９は、中継送受信機１００が車両の乗客の移動体送受信機と通信する移動体中継送受信機である、請求項１に記載の装置を備えた車両５００の実施例を図示している。この場合、実施例では、そのような車両内での移動体通信システムの使用も、車両を覆う物体による移動体通信システムの信号の減衰によって難しくなるので、実施例では、車両内での移動体中継送受信機の使用は自動車に限定されず、場合によっては、例えば、列車、船及び飛行機内の使用も考えられる。実施例では、移動体中継送受信機は、無線セルを提供することができ、その結果、例えば、車両の乗客が移動体通信システムを使用することができ、場合によっては、移動体中継送受信機が無い場合の移動体送受信機と比べて、車両を通り抜ける供給エネルギーが改善されて、アンテナ用に使用可能な面積が大きくなることによって、移動体通信システムとの接続の改善を実現することができる。
【００８０】
図９は、更に、実施例において、リンク接続用モデム（Ｍｏｄｕｌａｔｏｒ−Ｄｅｍｏｄｕｌａｔｏｒ）１２０２と（英語で「Ｓｍａｌｌ  Ｃｅｌｌ  Ｂａｓｅ  Ｓｔａｔｉｏｎ」とも呼ばれる）スモールセル用基地局送受信機１２０４を備えた送受信機送受信機モジュール１２を図示している。この場合、リンク接続用モデム１２０２は、アンテナ５１０を介して、基地局送受信機２００と通信する。移動体通信システムの提供業者の（英語で「Ｃｏｒｅ  Ｎｅｔｗｏｒｋ」とも呼ばれる）主ネットワーク３４０は、移動体送受信機の通信相手３３０とデータを交換するための接続ネットワークである。
【００８１】
図１０は、移動体通信システム３００における中継送受信機１００のための方法の実施例のフロー図を図示している。この移動体通信システム３００は、更に、基地局送受信機２００とパケットデータネットワーク・インタフェース３２４を有する。この方法は、少なくとも一つの移動体送受信機１５０と通信する工程３２と基地局送受信機２００と通信する工程３４を有する。この方法は、更に、少なくとも移動体送受信機１５０により受信されたデータパケットに関連しているサービスの品質基準に関する情報を決定する工程３６を有する。この方法は、更に、その品質基準に関する情報に基づき基地局送受信機２００を介してパケットデータネットワーク・インタフェース３２４とのデータ接続１１０を構築する工程３８を有する。
【００８２】
図１１は、移動体通信システム３００において少なくとも移動体送受信機１５０にデータサービスを提供するネットワークコンポーネント３５０のための方法の実施例のフロー図を図示している。この移動体通信システムは、更に、中継送受信機１００を有する。この方法は、中継送受信機１００を介して少なくとも一つの移動体送受信機１５０と通信する工程４２と少なくとも一つの移動体送受信機１５０の少なくとも一つの通信相手３３０と通信する工程４４とを有する。この方法は、更に、少なくとも一つの移動体送受信機１５０の少なくとも一つの通信相手３３０により受信されたデータパケットに関連しているサービスの品質基準に関する情報を決定する工程４６を有する。この方法は、更に、その品質基準に関する情報に基づき移動体通信システム３００のパケットデータネットワーク・インタフェース３２４を介して中継送受信機１００とのデータ接続１１０を構築する工程４８を有する。
【００８３】
別の実施例は、コンピュータ、プロセッサ又はプログラミング可能なハードウェアコンポーネント上でコンピュータプログラムを実行した場合に上述した方法の中の少なくとも一つを実施するコンピュータプログラムである。また、別の実施例は、上述した方法の中の少なくとも一つが実施されるようにプログラミング可能なハードウェアコンポーネントと協力して動作することができる電子的に読取可能な制御信号を有する、機械的に、或いはコンピュータにより読取可能なデジタルメモリ媒体である。
【００８４】
この前の記述、以下の請求項及び添付図面に開示された特徴は、個別的にも、任意の組合せでも、実施例を様々な実施形態で実現するために重要であり、そのように実現することができる。
【００８５】
多くの観点を一つの装置と関連して述べたが、これらの観点は、それに対応する方法の一つの記述も表しており、その結果、一つの装置の一つのブロック又は構成要素がそれに対応する方法の工程としても、一つの方法の工程の特徴としても解釈できることを理解されたい。それと同様に、一つ又は複数の方法の工程と関連して述べた観点は、それに対応する装置のそれに対応するブロック、細部又は特徴の記述も表す。
【００８６】
所定の実現形態の要件に応じて、本発明の実施例をハードウェア又はソフトウェアで実現することができる。この実現形態は、各方法が実施されるようにプログラミング可能なハードウェアコンポーネントと協力して動作することができる、或いは協力して動作する電子的に読取可能な制御信号が保存されたデジタルメモリ媒体、例えば、フロッピーディスク、ＤＶＤ、ブルーレイディスク、ＣＤ、ＲＯＭ、ＰＲＯＭ、ＥＰＲＯＭ、ＥＥＰＲＯＭ、フラッシュメモリ、ハードディスク、或いはそれ以外の磁気又は光学メモリを用いて実現することができる。
【００８７】
プログラミング可能なハードウェアコンポーネントは、プロセッサ、コンピュータプロセッサ（ＣＰＵ：Ｃｅｎｔｒａｌ  Ｐｒｏｃｅｓｓｉｎｇ  Ｕｎｉｔ）、グラフィックプロセッサ（ＧＰＵ：Ｇｒａｐｈｉｃｓ  Ｐｒｏｃｅｓｓｉｎｇ  Ｕｎｉｔ）、コンピュータ、コンピュータシステム、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、集積回路（ＩＣ：Ｉｎｔｅｇｒａｔｅｄ  Ｃｉｒｃｕｉｔ）、ワンチップシステム（ＳＯＣ：Ｓｙｓｔｅｍ  ｏｎ  Ｃｈｉｐ）、プログラミング可能な論理素子又はマイクロプロセッサを備えた利用者プログラミング可能なゲートアレイ（ＦＰＧＡ：Ｆｉｅｌｄ  Ｐｒｏｇｒａｍｍａｂｌｅ  Ｇａｔｅ  Ａｒｒａｙ）により構成することができる。
【００８８】
従って、このデジタルメモリ媒体は、機械的に、或いはコンピュータにより読取可能なものとすることができる。即ち、多くの実施例は、ここで述べた方法の中の一つが実施されるようにプログラミング可能なコンピュータシステム又はプログラミング可能なハードウェアコンポーネントと協力して動作することができる電子的に読取可能な制御信号を有するデータ記憶媒体から構成される。そのため、一つの実施例は、ここで述べた方法の中の一つを実施するプログラムを記録したデータ記憶媒体（或いは、デジタルメモリ媒体又はコンピュータ読取可能媒体）である。
【００８９】
一般的に、本発明の実施例は、プログラム、ファームウェア、コンピュータプログラム、プログラムコードを有するコンピュータプログラム製品又はデータとして実現することができ、このプログラムコード又はデータは、プログラムがプロセッサ又はプログラミング可能なハードウェアコンポーネント上で実行された場合に本方法の中の一つが実施されるとの趣旨で作用する。このプログラムコード又はデータは、例えば、機械読取可能な記憶媒体又はデータ記憶媒体に記録することもできる。このプログラムコード又はデータは、特に、ソースコード、機械コード、バイトコード又はそれ以外の中間コードとして存在することができる。
【００９０】
別の実施例は、更に、ここで述べた方法の中の一つを実施するプログラムを表すデータフロー、信号フロー又は信号シーケンスである。このデータフロー、信号フロー又は信号シーケンスは、例えば、データ通信接続を介して、例えば、インターネット又はそれ以外のネットワークを介して伝送されるとの趣旨で構成することができる。そのようにして、実施例は、ネットワーク又はデータ通信接続を介して伝送するのに適したデータを表す信号フローでもあり、その場合、これらのデータはプログラムである。
【００９１】
一つの実施例に基づくプログラムは、例えば、一つのデータ又は複数のデータを記憶位置から読み取るか、或いは記憶位置に書き込み、それにより、場合によっては、トランジスタ構造、増幅器構造又はそれ以外の電気部品、光学部品、磁気部品又はそれ以外の機能方式により動作する部品における切替プロセス又はそれ以外のプロセスを実行することによって、本方法の中の一つをその実行中に変換することができる。それに対応して、記憶位置の読み取りによって、データ、数値、センサー値又はそれ以外の情報をプログラムにより検出、決定又は測定することができる。従って、プログラムは、一つの又は複数の記憶位置の読み取りによって、変数、数値、測定変数及びそれ以外の情報を検出、決定又は測定するとともに、一つ又は複数の記憶位置への書き込みによって、アクションを起動、指示又は実行して、別の機器、機械及びコンポーネントを駆動することができる。
【００９２】
上述した実施例は、本発明の原理を具体的に説明しただけである。ここで述べた配置構成及び細目の修正形態及び変化形態が別の当業者に明らかであることを理解されたい。そのため、本発明が、後述する請求項の保護範囲によってのみ限定され、これらの実施例の記述及び説明に基づき示される特定の細目によって限定されないことを意図している。
【図１】
0006577583.tif 000002
【図２】
0006577583.tif 000003
【図３】
0006577583.tif 000004
【図４】
0006577583.tif 000005
【図５】
0006577583.tif 000006
【図６】
0006577583.tif 000007
【図７】
0006577583.tif 000008
【図８】
0006577583.tif 000009
【図９】
0006577583.tif 000010
【図１０】
0006577583.tif 000011
【図１１】
0006577583.tif 000012